(57)【特許請求の範囲】
【請求項１】
水平方向の管路の出口側端に半球状の凹曲面を連続形成してなるドーム状凹か（窩）と、該ドーム状凹かの先端部に交差する切込み溝とでオリフィス形噴口を形成する液体噴霧ノズルにおいて、前記切込み溝が水平な管軸より上側にずらした前記凹曲面上に設けられていることを特徴とする液体噴霧ノズル。
【請求項２】
管路の内部に整流板を組み込んである請求項１記載の液体噴霧ノズル。
【発明の詳細な説明】
【０００１】
【産業上の利用分野】
本発明は、アトリウム空間のような広大空間やトンネル内での消火、防火設備、あるいは農業用スプリンクラーなどに好適な液体噴霧ノズルに関する。
【０００２】
【従来の技術】
この種の液体噴霧ノズルとして、例えば、図５に示すように管路２の出口側端に半球状の凹曲面３を連続形成してなるドーム状凹か（窩）４と、該ドーム状凹か４の先端部に交差する断面Ｖ形の切込み溝５とでオリフィス形噴口１を、正面からみてその長軸が左右横方向になるような楕円形状に形成したもの、いわゆるフラットスプレーノズルがある。
【０００３】
【発明が解決しようとする課題】
上記した従来の噴霧ノズルは、例えば、消火設備据え付け場所の側壁などに水平に取り付けて使用した場合、楕円形の切込み溝５はこれの中心が管軸ｘと合致するように形成されているので、管路２からの水が凹曲面３に沿って流れる時に上側の水流Ｃと下側の水流Ｂとが衝突してオリフィス形噴口１から前方へほぼ水平に放出するが、その飛距離には限界がある。そのため水の飛距離をのばすには、噴霧ノズルを側壁に上向きに取り付けていた。
しかし、噴霧ノズルを側壁に上向きに取り付けるには、角度計等を用いて角度調節しながら取り付けなければならず、非常に煩わしい作業であった。特に、例えば、広大空間での消火設備用としては数多くの噴霧ノズルが必要となるため、その取り付け作業に多くの時間と手数を要するのであった。また壁面への噴霧ノズルの取り付けにあたり、上向き取り付けの場合には壁面くり抜き部を大きく取る必要があり、又露出長さを大きく取る必要があることから、外観上、美観を損なうのであった。
本発明は、このような問題に鑑みてなされたもので、水平取付けでも液体の飛距離をのばすことのできる液体噴霧ノズルを提供することを目的とする。
【０００４】
【課題を解決するための手段】
本発明は、水平方向の管路の出口側端に半球状の凹曲面を連続形成してなるドーム状凹か（窩）と、該ドーム状凹かの先端部に交差する切込み溝とでオリフィス形噴口を形成する液体噴霧ノズルにおいて、前記切込み溝は水平な管軸より上側にずらした前記凹曲面上に設けてあることを特徴とするものである。管路の内部には整流板を組み込んであることが好ましい。
【０００５】
【作用】
切込み溝が水平な管軸より上側にずれていると、水平方向の管路からの液体が凹曲面に沿って流れる時に、下側からの液体流の上方向への勢いの方が上側からの液体流の下方向への勢いよりも強くなるため、下側からの液体が上側からの液体と衝突した後にオリフィス形噴口から噴出する噴流は水平より上斜め方向に出てゆくことになる。
【０００６】
【実施例】
実施例１
図１は本発明の一実施例にかかる液体噴霧ノズルの断面図を示す。この噴霧ノズルはオリフィス形噴口１を有する。２は筒状の管路、３は管路２の出口側端に連続形成した半球状の凹曲面で、これら管路２と凹曲面３とでドーム状凹か（窩）４を形成する。ドーム状凹か４の先端部には断面溝形の切込み溝５を管軸Ｘと交差状に切り込み加工することによって前記オリフィス形噴口１を形成するが、その際、切込み溝５は管軸Ｘより上側にずれるように加工することにより、オリフィス形噴口１が正面からみてその長軸が管軸Ｘと交差する線上に合致する半楕円形状になるように形成する。６は管路２の入口側端の外周に設けたねじである。
例えば、管路２の直径Ｄは４１ｍｍ、凹曲面３の半径ｒは２０ｍｍ、切込み溝５の切込み角度θは６６°である。半楕円形状のオリフィス形噴口１の長軸方向の長さＨは３５．３ｍｍ、短軸方向の長さＡは１３．０ｍｍである。
【０００７】
しかるときは、この液体噴霧ノズルを側壁に水平に取り付けて散水すると、管路２からの水が凹曲面３に沿って流れる時に下側からの水流Ｂの上方向への勢いの方が上側からの水流Ｃの下方向への勢いよりも強くなるため、水をオリフィス形噴口１から水平よりほぼ１０°ほど上斜め方向に放出することができて飛距離を上げることができるに至った。
水量が同じ場合、前出の図５に示す従来の噴霧ノズルを側壁に水平より２５°上向きに取付けて放水した場合と、ほとんど同じ飛距離を確保することができた。
もっとも、上記構成の噴霧ノズルを側壁に上向きに取り付けると、従来の上向き取付けの噴霧ノズルよりも更に飛距離をのばすことができることは言うまでもない。
【０００８】
実施例２
図２は他の実施例を示す。この実施例では切込み溝５は管軸Ｘより上側に、上記実施例の場合よりも更に上側にずらして設けることにより、正面からみて長軸を左右横方向にする楕円形状のオリフィス形噴口１を形成したものである。
管路２の直径Ｄ、凹曲面３の半径ｒおよび切込み溝５の切込み角度θはそれぞれ、上記実施例の場合と同じ寸法である。楕円形状のオリフィス形噴口１の長軸方向の長さＨは３２．０ｍｍ、短軸方向の長さＡは１４．３ｍｍである。
【０００９】
比較例
図５は比較例を示す。この噴霧ノズルは前出の従来例のものと同じであるため、その構造についての説明は省略する。この場合、管路２の直径Ｄ、凹曲面３の半径ｒおよび切込み溝５の切込み角度θはそれぞれ、上記実施例のものと同じ寸法である。ただし、楕円形状のオリフィス形噴口５の長軸方向の長さＨは３６．０ｍｍ、短軸方向の長さＡは１３．２ｍｍである。
【００１０】
上記実施例１、実施例２と比較例の各噴霧ノズルを側壁Ｗに床面より４ｍ高さ位置で水平に取り付け、４００リットル／ｍｉｎの流量で散水して各々の飛距離〔消防法上、有効散水（１．２リットル／ｍｉｎ．ｍ2 以上）範囲〕を比較してみた。その際、各々の噴霧ノズルの管路２の内部には図３に示す放射形の整流板１０（アルミニウム押出成形品）を組み込んで散水を試みた。その結果は図４の散水パターン図に示す通りである。
図４の散水パターン図からわかるように比較例の噴霧ノズルでは有効散水幅を保つ飛距離はほぼ１６．５ｍ程度であったのに対し、実施例１および実施例２の噴霧ノズルによれば１８ｍまで遠くへ飛ばすことができた。
【００１１】
かかる散水パターンは飛ぶ方向のほぼ全長にわたってほぼ同じ有効散水幅（短辺長さ）を保つような略長方形状を形成することができ、その長辺方向の長さを増長できる。従って、広大な空間でも側壁Ｗにこの実施例１または実施例２の噴霧ノズルを等間隔（有効散水幅とほぼ同じ間隔）で並べて水平に取り付けることにより、できる限り個数の少ない噴霧ノズルで広大空間の全域にわたって均等に遠投放水でき、効率的な消火散水を可能にする。因みに、かかる遠投用ノズルのみでは側壁Ｗから４ｍ付近までの近距離での消火散水を欠くことになるので、この場合はそれとは別の近投用噴霧ノズルを併用して補うことになる。
【００１２】
本発明の噴霧ノズルは消火、防火設備用に有効であるが、それ以外に、例えば、防虫・防除剤、除草剤等の散布などにも同様に適用することができる。
【００１３】
【発明の効果】
本発明の液体噴霧ノズルによれば、切込み溝は水平な管軸より上側にずれるように加工することにより、水平方向の管路からの液体の凹曲面に沿う流れが下側からの液体流の上方向への勢いの方が強くなるようにしてあるので、オリフィス形噴口から噴出する噴流は上向きに出すことができ、側壁などに水平に取り付けても飛距離をのばすことができる。しかも噴霧ノズルはそのように水平取付けで足りるため、所定の上向き角度に取り付ける作業に比しきわめて能率よく取り付け施工できる。
【図面の簡単な説明】
【図１】（ａ）は本発明の一実施例を示す液体噴霧ノズルの平面図、（ｂ）はその正面図、（ｃ）はその断面図である。
【図２】（ａ）は本発明の他の実施例を示す液体噴霧ノズルの平面図、（ｂ）はその正面図、（ｃ）はその断面図である。
【図３】液体噴霧ノズルに使用する整流板の斜視図である。
【図４】本発明と比較例の液体噴霧の飛距離を比較して示す散水パターン図である。
【図５】（ａ）は従来例の液体噴霧ノズルの平面図、（ｂ）はその正面図、（ｃ）はその断面図である。
【符号の説明】
１  オリフィス形噴口
２  管路
３  凹曲面
４  ドーム状凹か（窩）
５  切込み溝
１０  整流板
【図１】
0003567019.tif 000002
【図２】
0003567019.tif 000003
【図３】
0003567019.tif 000004
【図４】
0003567019.tif 000005
【図５】
0003567019.tif 000006